(57)【要約】【課題】  位置規制ガイドを移動させても、搬送ベルトを適切な位置に設定でき、それによって、安定した給送を行うことができる、給送装置を提供すること。【解決手段】  給送台２１上に積載された封筒を、下から１枚ずつ、搬送ベルト２２１に載せて、次段に送る、シート状体給送装置において、封筒の一方の側縁を規制する固定ガイド２３と、固定ガイド２３に対して移動可能であり、封筒の他方の側縁を規制する、可動ガイド２４と、搬送ベルト２２１を、可動ガイド２４の移動に伴って、その移動量の半分量だけ、同じ移動方向に移動させる、搬送ベルト移動機構５と、を備えていることである。【選択図】  図４
2005075484.tif 000002
【特許請求の範囲】
【請求項１】
給送台上に積載されたシート状体を、下から１枚ずつ、搬送ベルトに載せて、次段に送る、シート状体給送装置において、
シート状体の一方の側縁を規制する固定ガイドと、
固定ガイドに対して移動可能であり、シート状体の他方の側縁を規制する、可動ガイドと、
搬送ベルトを、可動ガイドの移動に伴って、その移動量の半分量だけ、同じ移動方向に移動させる、搬送ベルト移動機構と、を備えていることを特徴とするシート状体給送装置。
【発明の詳細な説明】
【技術分野】
【０００１】
本発明は、封筒開封装置や情報読取装置などに、封筒、原稿、写真などのシート状体を、１枚ずつ送る、給送装置に関するものである。
【背景技術】
【０００２】
従来の給送装置としては、特許文献１〜３などに示されたものがある。特許文献１〜３の装置は、いずれも、積載された紙葉又は帳票を上から１枚ずつ搬送ベルトで給送するものである。そして、特許文献１の装置は、搬送ベルトを紙葉に対して適切な位置に設定するために、搬送ベルトと位置規制ガイドとを連結して一体に移動させるようにしている。特許文献２の装置は、安定給紙を行うために、固定された搬送ベルトと移動可能な搬送ベルトとを設け、帳票の幅に応じた位置に搬送ベルトを移動させるようにしている。特許文献３の装置は、帳票のスキュー量が小さい安定した給紙を行うために、複数の搬送ベルトを並設し、帳票の幅に応じて該当する搬送ベルトを作動させるようにしている。
【特許文献１】実開昭５７−２００５６号公報
【特許文献２】特開昭６１−６０５３６号公報
【特許文献３】特開平５−１８６０６８号公報
【発明の開示】
【発明が解決しようとする課題】
【０００３】
しかしながら、特許文献１の装置では、搬送ベルトと位置規制ガイドとの間隔が一定のままであるので、位置規制ガイドの移動量によっては、搬送ベルトが紙葉に対して適切な位置とならない場合があるという問題があった。また、特許文献２及び特許文献３の装置では、複数の搬送ベルトが必要であり、しかも、帳票の幅を検出した上で複数の搬送ベルトを駆動させるという機構も必要であるので、装置構成が複雑化且つ大型化するという問題があった。
【０００４】
本発明は、位置規制ガイドを移動させても、搬送ベルトを適切な位置に設定でき、それによって、安定した給送を行うことができる、給送装置を提供することを目的とする。
【課題を解決するための手段】
【０００５】
本発明は、給送台上に積載されたシート状体を、下から１枚ずつ、搬送ベルトに載せて、次段に送る、シート状体給送装置において、シート状体の一方の側縁を規制する固定ガイドと、固定ガイドに対して移動可能であり、シート状体の他方の側縁を規制する、可動ガイドと、搬送ベルトを、可動ガイドの移動に伴って、その移動量の半分量だけ、同じ移動方向に移動させる、搬送ベルト移動機構と、を備えていることを特徴としている。
【０００６】
搬送ベルト移動機構としては、具体的には、次のような構成を採用できる。
（１）搬送ベルトの駆動ローラを支持する駆動側ピニオンラック機構と、同じく従動ローラを支持する従動側ピニオンラック機構と、を備え、各ピニオンラック機構は、固定ガイドに固定された固定ラックと、可動ガイドに固定された可動ラックと、両ラックに噛み合ったピニオンと、を備え、固定ラックと可動ラックとは同じものであり、ピニオンは、ローラを回転可能に支持する支持体に、回転可能に支持されている。
【０００７】
（２）搬送ベルト、駆動ローラ、及び従動ローラを支持する支持体と、支持体を固定ガイド側に付勢するスプリングと、支持体に固定されたプーリーと、を備え、プーリーには、可動ガイドの移動に伴って支持体が動滑車として移動するようベルトが掛け渡されている。
【発明の効果】
【０００８】
請求項１記載の発明によれば、搬送ベルトの当初の位置を固定ガイドと可動ガイドとの中間に設定しておくと、可動ガイドを移動させても、搬送ベルトを常に固定ガイドと可動ガイドとの中間に位置させることができる。それ故、大きなシート状体を規制するために可動ガイドを移動させた場合でも、大きなシート状体の中央に搬送ベルトを位置させることができ、安定した搬送を行うことができる。
【発明を実施するための最良の形態】
【０００９】
（実施形態１）
図１は本発明のシート状体給送装置を用いた封筒開封設備１０を示す斜視図である。この設備１０は、封筒開封装置１の、入口側にシート状体給送装置２を、出口側に封筒受け装置３を、それぞれ配置して、構成されている。給送装置２は、給送台２１と、搬送ベルト機構２２と、固定ガイド２３と、可動ガイド２４と、を備えている。
【００１０】
図２は図１のII−II断面に相当する図である。封筒開封設備１０は、給送装置２の給送台２１上に積載された封筒４を、下から１枚ずつ、搬送ベルト機構２２の搬送ベルト２２１に載せて、封筒開封装置１に送り、第１搬送ローラ１１，１２で挟んで回転刃１３，１４に送り、回転刃１３，１４による切断によって開封しながら第２搬送ローラ１５，１６に送り、第２搬送ローラ１５，１６で挟んで封筒受け装置３に送り、封筒受け装置３にて、開封された封筒４を次々と受けていくようになっている。給送装置２の固定ガイド２３は封筒４の一方の側縁を規制するよう設けられており、可動ガイド２４は封筒４の他方の側縁を規制するよう設けられている。
【００１１】
給送装置２において、搬送ベルト機構２２は、図２に示すように、無端環状の搬送ベルト２２１が駆動ローラ２２２と従動ローラ２２３とに張り渡されて構成されている。また、可動ガイド２４は、スライドガイド（図示せず）に沿って固定ガイド２３に対して矢印方向（図１）に移動可能となっている。これにより、大きな封筒４を給送台２１上に積載して送る場合でも、可動ガイド２４を移動させることにより、封筒４の一方の側縁を固定ガイド２３により規制し、他方の側縁を可動ガイド２４により規制することができる。
【００１２】
図３は図１のIII−III断面矢視図、図４は可動ガイド２４が移動した状態の図３に相当する図、図５は図４の状態の平面図である。給送装置２においては、搬送ベルト２２１を、可動ガイド２４の移動に伴って、その移動量の半分量だけ、同じ移動方向に移動させる、搬送ベルト移動機構５が、設けられている。
【００１３】
搬送ベルト移動機構５は、搬送ベルト機構２２の駆動ローラ２２２を支持する駆動側ピニオンラック機構５１と、従動ローラ２２３を支持する従動側ピニオンラック機構５２と、を備えている。従動側ピニオンラック機構５２は、図３に示すように、固定ガイド２３に固定された固定ラック５２１と、可動ガイド２４に固定された可動ラック５２２と、両ラック５２１，５２２に噛み合ったピニオン５２３と、を備えている。なお、固定ラック５２１と可動ラック５２２とは同じものである。ピニオン５２３は、従動ローラ２２３を回転可能に支持する支持体５２４に、回転可能に支持されている。図６は図４のVI矢視部分図であり、支持体５２４を示している。支持体５２４は、上開きのコ字体５２４１と下開きのコ字体５２４２とが９０度に交差した状態で連結された形態を有している。従動ローラ２２３はコ字体５２４１内に回転軸２２３１により支持されており、ピニオン５２３はコ字体５２４２内に回転軸５２３１により支持されている。
【００１４】
駆動側ピニオンラック機構５１も、図１のVII−VII断面矢視図である図７に示すように、従動側ピニオンラック機構５２と同様に、固定ラック５１１と、可動ラック５１２と、ピニオン５１３と、支持体５１４と、を備えている。但し、駆動ローラ２２２は、支持体５１４をも貫通して固定板２６に至る駆動軸２５により、支持体５１４内に支持されている。また、駆動ローラ２２２は、駆動軸２５に対してスプライン嵌合している。なお、駆動軸２５は、両端が固定ガイド２３と固定板２６とに回転可能に支持されており、モータ２７に連動する駆動ベルト２８により、回転されるようになっている。また、固定ガイド２３と固定板２６との間には、スライドガイド軸２９が設けられており、支持体５１４はスライドガイド軸２９（図５）に沿ってスライド可能となっている。
【００１５】
上記構成の給送装置２において、可動ガイド２４を移動させると、搬送ベルト移動機構５が次のように作動する。即ち、可動ガイド２４を、図３に示す位置Ｘ１から図４に示す位置Ｘ２までＬ１だけ移動させると、従動側ピニオンラック機構５２においては、位置Ｙ１にあったピニオン５２３が固定ラック５２１と可動ラック５２２に対して回転して移動する。即ち、ピニオン５２３は、固定ラック５２１に対しては当初の位置Ｙ１からＬ２だけ移動し、可動ラック５２２に対しては当初の位置からＬ３だけ移動する。これらの移動量の関係は、Ｌ１＝Ｌ２＋Ｌ３となり、Ｌ２＝Ｌ３である。従って、可動ガイド２４がＬ１だけ移動すると、ピニオン５２３、即ち、支持体５２４に支持されている搬送ベルト２２１は、Ｌ１の半分のＬ２だけ移動することとなる。駆動側ピニオンラック機構５１も、従動側ピニオンラック機構５２と同様に作動する。
【００１６】
なお、給送台２１は、台板２１１及びスライド板２１２の２枚構造となっており、台板２１１は搬送ベルト機構２２の位置で分割されるようになっており、スライド板２１２は可動ガイド２４から搬送ベルト２２１の下を通って固定ガイド２３付近まで延びている。従って、可動ガイド２４が移動して台板２１１が分割されて別れても、その下からスライド板２１２が露出するようになっている。
【００１７】
以上のように、上記構成の給送装置２においては、可動ガイド２４の移動に伴って、支持体５１４，５２４も移動し、即ち、搬送ベルト機構２２も移動し、搬送ベルト機構２２の移動量は可動ガイド２４の移動量の半分となる。従って、給送装置２において、搬送ベルト機構２２の当初の位置を固定ガイド２３と可動ガイド２４との中間に設定しておくと、可動ガイド２４を移動させても、搬送ベルト機構２２の位置は常に固定ガイド２３と可動ガイド２４との中間となる。それ故、大きな封筒４を規制するために可動ガイド２４を移動させた場合でも、大きな封筒４の中央に搬送ベルト２２１を位置させることができ、安定した搬送を行うことができる。
【００１８】
しかも、ピニオンラック機構によって実現できるので、装置構成を複雑化したり大型化したりすることもない。
【００１９】
（実施形態２）
本実施形態の給送装置２においては、搬送ベルト移動機構５以外は実施形態１と同じである。図８は実施形態１の図３に相当する図、図９は同じく図４に相当する図、図１０は同じく図５に相当する図である。但し、図１０では給送台２１の台板２１１及びスライド板２１２の図示を省略している。本実施形態の搬送ベルト移動機構５は、搬送ベルト機構２２を一体に支持する支持体５３と、支持体５３を固定ガイド２３側に付勢するスプリング５４と、支持体５３に固定されたプーリー５５と、を備えている。支持体５３は上開きのコ字状の長尺体であり、搬送ベルト機構２２は支持体５３内に支持されている。支持体５３と可動ガイド２４との間には固定板５６が位置している。
【００２０】
スプリング５４は、一端５４１が支持体５３の長手方向中央に固定され、他端５４２が固定ガイド２３に固定されている。プーリー５５には、ベルト５５１が掛けられており、図１０に示すように、その一端５５２は固定板５６に固定されており、他端５５３は固定板５６を貫通して可動ガイド２４に固定されている。
【００２１】
固定ガイド２３と固定板５６との間には、スライドガイド軸５７が設けられており、支持体５３はスライドガイド軸５７に沿ってスライド可能となっている。駆動ローラ２２２は、支持体５３をも貫通して固定板５６に至る駆動軸２５により、支持体５３内に支持されている。また、駆動ローラ２２２は、駆動軸２５に対してスプライン嵌合している。なお、駆動軸２５は、両端が固定ガイド２３と固定板５６とに回転可能に支持されており、モータ２７に連動する駆動ベルト２８により、回転されるようになっている。
【００２２】
上記構成の給送装置２において、可動ガイド２４を移動させると、搬送ベルト移動機構５が次のように作動する。即ち、可動ガイド２４を、図９に示す位置Ｘ１から図９に示す位置Ｘ２までＬ１だけ移動させると、ベルト５５１に沿ってプーリー５５が移動し、位置Ｙ１にあった支持体５３がスライドガイド軸５７に沿って移動する。このとき、プーリー５５は動滑車として作動するので、支持体５３の移動量Ｌ２はＬ１の半分となる。なお、支持体５３はスプリング５４によって固定ガイド２３側に付勢されているので、可動ガイド２４を移動させた位置で維持するために、ラチェット機構等を用いて可動ガイド２４の移動位置を固定するための手段（図示せず）が設けられている。そして、この固定手段を解除して可動ガイド２４を元の位置に戻すときは、スプリング５４の付勢によって、プーリー５５は動滑車として安定して作動する。
【００２３】
従って、上記構成の給送装置２においても、可動ガイド２４の移動に伴って、支持体５３も移動し、即ち、搬送ベルト機構２２も移動し、搬送ベルト機構２２の移動量は可動ガイド２４の移動量の半分となる。よって、実施形態１の場合と同様の効果を発揮できる。
【００２４】
（別の実施形態）
実施形態１，２では、シート状体が封筒であり、封筒開封装置に封筒を送る給送装置を示しているが、これに限るものではない。例えば、シート状体が原稿や写真であり、そのようなシート状体を文字や画像などの情報を読み取る情報読取装置に送る給送装置であってもよい。
【産業上の利用可能性】
【００２５】
本発明の給送装置は、封筒開封装置や情報読取装置などに、封筒、原稿、写真などのシート状体を、１枚ずつ安定して送ることができ、しかも、簡単な構成で実現できるので、産業上の利用価値が大である。
【図面の簡単な説明】
【００２６】
【図１】本発明のシート状体給送装置を用いた封筒開封設備を示す斜視図である。
【図２】図１のII−II断面に相当する図である。
【図３】図１のIII−III断面矢視図である。
【図４】可動ガイドが移動した状態の図３に相当する図である。
【図５】図４の状態の平面図である。
【図６】図４のVI矢視部分図である。
【図７】図１のVII−VII断面矢視図である。
【図８】図３に相当する図である。
【図９】図４に相当する図である。
【図１０】図５に相当する図である。
【符号の説明】
【００２７】
４  封筒（シート状体）
５  搬送ベルト移動機構
２２１  搬送ベルト
２３  固定ガイド
２４  可動ガイド
【図１】
2005075484.tif 000003
【図２】
2005075484.tif 000004
【図３】
2005075484.tif 000005
【図４】
2005075484.tif 000006
【図５】
2005075484.tif 000007
【図６】
2005075484.tif 000008
【図７】
2005075484.tif 000009
【図８】
2005075484.tif 000010
【図９】
2005075484.tif 000011
【図１０】
2005075484.tif 000012